(57)【要約】【課題】種類の判別が困難な硬貨の処理方法をユーザーのニーズに合わせて簡便に変更することができる硬貨処理装置を提供する。【解決手段】硬貨の特性を検出する検出部と、前記検出部で検出された前記硬貨の特性に基づいて前記硬貨の種類を判別する判別部と、前記硬貨が前記判別部により種類を判別できず複数の種類の候補が抽出された未確定硬貨である場合の処理方法を指定する処理設定を操作者から受け付ける受付部と、前記受付部が受け付けた前記処理設定に基づいて、前記未確定硬貨を処理する処理部と、を備えることを特徴とする硬貨処理装置。【選択図】図１
2020144549.tif 000002
【特許請求の範囲】
【請求項１】
硬貨の特性を検出する検出部と、
前記検出部で検出された前記硬貨の特性に基づいて前記硬貨の種類を判別する判別部と、
前記硬貨が前記判別部により種類を判別できず複数の種類の候補が抽出された未確定硬貨である場合の処理方法を指定する処理設定を操作者から受け付ける受付部と、
前記受付部が受け付けた前記処理設定に基づいて、前記未確定硬貨を処理する処理部と、
を備えることを特徴とする硬貨処理装置。
【請求項２】
前記検出部は、前記硬貨の磁気特性を検出する磁気センサを含むことを特徴とする請求項１に記載の硬貨処理装置。
【請求項３】
前記検出部は、前記硬貨の光学特性を検出する画像センサを含むことを特徴とする請求項１又は２に記載の硬貨処理装置。
【請求項４】
前記複数の種類の候補は、金種が同一であることを特徴とする請求項１〜３のいずれかに記載の硬貨処理装置。
【請求項５】
前記処理設定は、前記未確定硬貨をリジェクトする処理を行う硬貨に指定する設定項目を含み、
前記処理部は、前記未確定硬貨をリジェクトする処理を行うことを特徴とする請求項１〜４のいずれかに記載の硬貨処理装置。
【請求項６】
前記処理設定は、前記未確定硬貨を前記複数の種類の候補のうち類似度が最も高い種類の硬貨に指定する設定項目を含み、
前記処理部は、前記未確定硬貨を前記複数の種類の候補のうち類似度が最も高い種類の硬貨であるとして処理することを特徴とする請求項１〜４のいずれかに記載の硬貨処理装置。
【請求項７】
前記複数の種類の候補は、希少な種類、及び前記希少な種類と同じ金種であるが希少でない種類であり、
前記処理設定は、前記未確定硬貨の搬送先を前記希少でない種類の硬貨の搬送先に指定する設定項目を含み、
前記処理部は、前記未確定硬貨を前記希少でない種類の硬貨と同じ搬送先に搬送する処理を行うことを特徴とする請求項６に記載の硬貨処理装置。
【請求項８】
前記複数の種類の候補は、希少な種類、及び前記希少な種類と同じ金種であるが希少でない種類であり、
前記処理設定は、前記未確定硬貨の搬送先を前記希少でない種類の硬貨と異なる搬送先に指定する設定項目を含み、
前記処理部は、前記未確定硬貨を前記希少でない種類の硬貨と異なる搬送先に搬送する処理を行うことを特徴とする請求項６に記載の硬貨処理装置。
【請求項９】
前記処理設定は、前記未確定硬貨の種類の優先度を指定する設定項目を含み、
前記処理部は、前記未確定硬貨を前記複数の種類の候補のうち優先度の最も高い種類の硬貨であるとして処理することを特徴とする請求項１〜４のいずれかに記載の硬貨処理装置。
【請求項１０】
前記複数の種類の候補は、希少な種類、及び前記希少な種類と同じ金種であるが希少でない種類であり、
前記設定項目において、前記希少な種類の優先度よりも前記希少でない種類の優先度が高く指定され、
前記処理部は、前記未確定硬貨を前記希少でない種類の硬貨であるとして処理することを特徴とする請求項９に記載の硬貨処理装置。
【請求項１１】
前記処理設定は、前記未確定硬貨の搬送先を前記希少でない種類の硬貨の搬送先に指定する設定項目を含み、
前記処理部は、前記未確定硬貨を前記希少でない種類の硬貨と同じ搬送先に搬送する処理を行うことを特徴とする請求項１０に記載の硬貨処理装置。
【請求項１２】
前記処理設定は、前記未確定硬貨の搬送先を前記希少でない種類の硬貨と異なる搬送先に指定する設定項目を含み、
前記処理部は、前記未確定硬貨を前記希少でない種類の硬貨と異なる搬送先に搬送する処理を行うことを特徴とする請求項１０に記載の硬貨処理装置。
【請求項１３】
前記複数の種類の候補は、希少な種類、及び前記希少な種類と同じ金種であるが希少でない種類であり、
前記設定項目において、前記希少でない種類の優先度よりも前記希少な種類の優先度が高く指定され、
前記処理部は、前記未確定硬貨を前記希少な種類の硬貨であるとして処理することを特徴とする請求項９に記載の硬貨処理装置。
【請求項１４】
前記処理設定は、前記未確定硬貨の搬送先を前記希少でない種類の硬貨の搬送先に指定する設定項目を含み、
前記処理部は、前記未確定硬貨を前記希少でない種類の硬貨と同じ搬送先に搬送する処理を行うことを特徴とする請求項１３に記載の硬貨処理装置。
【請求項１５】
前記処理設定は、前記未確定硬貨の搬送先を前記希少でない種類の硬貨と異なる搬送先に指定する設定項目を含み、
前記処理部は、前記未確定硬貨を前記希少でない種類の硬貨と異なる搬送先に搬送する処理を行うことを特徴とする請求項１３に記載の硬貨処理装置。
【請求項１６】
硬貨の特性を検出する検出ステップと、
前記検出ステップで検出された前記硬貨の特性に基づいて前記硬貨の種類を判別する判別ステップと、
前記硬貨が前記判別ステップにより種類を判別できず複数の種類の候補が抽出された未確定硬貨である場合の処理方法を指定する処理設定を操作者から受け付ける受付ステップと、
前記受付ステップが受け付けた前記処理設定に基づいて、前記未確定硬貨を処理する処理ステップと、
を備えることを特徴とする硬貨処理方法。
【発明の詳細な説明】
【技術分野】
【０００１】
本発明は、硬貨処理装置及び硬貨処理方法に関する。
【背景技術】
【０００２】
従来、硬貨を入出金する装置として、釣銭機、両替機、ＡＴＭ（現金自動預払機）等の硬貨処理装置が知られている。例えば、特許文献１には、投入された硬貨の真偽や金種を識別する第１及び第２の鑑査手段と、上記第１及び第２の鑑査手段による硬貨の識別能力をそれぞれ診断する第１及び第２の診断手段と、上記第１及び第２の診断手段による診断結果に基づいて、上記第１及び第２の鑑査手段のうち識別能力の高い方の識別結果を優先して当該硬貨の真偽や金種を判定する判定手段と、を備えた硬貨処理装置が開示されている。
【先行技術文献】
【特許文献】
【０００３】
【特許文献１】特開２０００−７６５１２号公報
【発明の概要】
【発明が解決しようとする課題】
【０００４】
硬貨処理装置では、例えば、磁気センサ及び画像センサの少なくとも一方を用いて、硬貨の直径、材質、穴、厚み、模様等の特徴を検出し、これらの検出結果に基づいて金種等の判定を行っている。ここで、５円硬貨には、現在製造発行されている希少でない（夥多な）普通の５円硬貨以外に希少な旧貨の５円硬貨も存在しており、市場には両者が流通している。しかしながら、これら２種類の５円硬貨の主な相違点は硬貨に記載された文字の字体であるため、硬貨処理装置で両者を識別することが難しく、新旧両方の種類が候補として挙がり、硬貨の種類を判別することができない場合がある。また、１０円硬貨についても同様に、現在製造発行されている希少でない（夥多な）普通の１０円硬貨以外に希少な旧貨の１０円硬貨も存在しており、市場には両者が流通しているが、これら２種類の１０円硬貨の主な相違点は硬貨の側面に設けられた凹凸の有無であるため、両者を識別することが難しく、新旧両方の種類が候補として挙がり、硬貨の種類を判別することができない場合がある。ここで、本明細書において、現在製造発行されている希少でない（夥多な）普通の硬貨を、旧貨に対して新貨ともいう。
【０００５】
ところで、金融市場においては、硬貨処理装置に投入された硬貨が旧貨である場合、当該旧貨を硬貨処理装置内に取り込み、再流通させないことが求められる場合がある。一方で、自動販売機等では、旧貨でも商品を購入することができるよう、新貨と同様に旧貨を受け付けることが求められる場合がある。このように、旧貨を積極的に排除したいというニーズがある一方で、旧貨の排除よりも旧貨を含む硬貨の受付け率を高く保つことを優先したいというニーズがある。したがって、硬貨処理装置を用いて、新貨及び旧貨が流通している硬貨の種類を判定する際に、新貨及び旧貨の両者が当該硬貨の種類の候補として挙がった場合、どちらの結果を優先的に採用するかはユーザーに応じて異なる。そして、従来はユーザーに応じた特別なソフトウェアプログラムを用意して硬貨処理装置のカスタマイズを行う必要があった。
【０００６】
本発明は、上記現状に鑑みてなされたものであり、種類の判別が困難な硬貨の処理方法をユーザーのニーズに合わせて簡便に変更することができる硬貨処理装置及び硬貨処理方法を提供することを目的とするものである。
【課題を解決するための手段】
【０００７】
上述した課題を解決し、目的を達成するために、本発明は、硬貨処理装置であって、硬貨の特性を検出する検出部と、前記検出部で検出された前記硬貨の特性に基づいて前記硬貨の種類を判別する判別部と、前記硬貨が前記判別部により種類を判別できず複数の種類の候補が抽出された未確定硬貨である場合の処理方法を指定する処理設定を操作者から受け付ける受付部と、前記受付部が受け付けた前記処理設定に基づいて、前記未確定硬貨を処理する処理部と、を備えることを特徴とする。
【０００８】
また、本発明は、上記発明において、前記検出部は、前記硬貨の磁気特性を検出する磁気センサを含むことを特徴とする。
【０００９】
また、本発明は、上記発明において、前記検出部は、前記硬貨の光学特性を検出する画像センサを含むことを特徴とする。
【００１０】
また、本発明は、上記発明において、前記複数の種類の候補は、金種が同一であることを特徴とする。
【００１１】
また、本発明は、上記発明において、前記処理設定は、前記未確定硬貨をリジェクトする処理を行う硬貨に指定する設定項目を含み、前記処理部は、前記未確定硬貨をリジェクトする処理を行うことを特徴とする。
【００１２】
また、本発明は、上記発明において、前記処理設定は、前記未確定硬貨を前記複数の種類の候補のうち類似度が最も高い種類の硬貨に指定する設定項目を含み、前記処理部は、前記未確定硬貨を前記複数の種類の候補のうち類似度が最も高い種類の硬貨であるとして処理することを特徴とする。
【００１３】
また、本発明は、上記発明において、前記複数の種類の候補は、希少な種類、及び前記希少な種類と同じ金種であるが希少でない種類であり、前記処理設定は、前記未確定硬貨の搬送先を前記希少でない種類の硬貨の搬送先に指定する設定項目を含み、前記処理部は、前記未確定硬貨を前記希少でない種類の硬貨と同じ搬送先に搬送する処理を行うことを特徴とする。
【００１４】
また、本発明は、上記発明において、前記複数の種類の候補は、希少な種類、及び前記希少な種類と同じ金種であるが希少でない種類であり、前記処理設定は、前記未確定硬貨の搬送先を前記希少でない種類の硬貨と異なる搬送先に指定する設定項目を含み、前記処理部は、前記未確定硬貨を前記希少でない種類の硬貨と異なる搬送先に搬送する処理を行うことを特徴とする。
【００１５】
また、本発明は、上記発明において、前記処理設定は、前記未確定硬貨の種類の優先度を指定する設定項目を含み、前記処理部は、前記未確定硬貨を前記複数の種類の候補のうち優先度の最も高い種類の硬貨であるとして処理することを特徴とする。
【００１６】
また、本発明は、上記発明において、前記複数の種類の候補は、希少な種類、及び前記希少な種類と同じ金種であるが希少でない種類であり、前記設定項目において、前記希少な種類の優先度よりも前記希少でない種類の優先度が高く指定され、前記処理部は、前記未確定硬貨を前記希少でない種類の硬貨であるとして処理することを特徴とする。
【００１７】
また、本発明は、上記発明において、前記処理設定は、前記未確定硬貨の搬送先を前記希少でない種類の硬貨の搬送先に指定する設定項目を含み、前記処理部は、前記未確定硬貨を前記希少でない種類の硬貨と同じ搬送先に搬送する処理を行うことを特徴とする。
【００１８】
また、本発明は、上記発明において、前記処理設定は、前記未確定硬貨の搬送先を前記希少でない種類の硬貨と異なる搬送先に指定する設定項目を含み、前記処理部は、前記未確定硬貨を前記希少でない種類の硬貨と異なる搬送先に搬送する処理を行うことを特徴とする。
【００１９】
また、本発明は、上記発明において、前記複数の種類の候補は、希少な種類、及び前記希少な種類と同じ金種であるが希少でない種類であり、前記設定項目において、前記希少でない種類の優先度よりも前記希少な種類の優先度が高く指定され、前記処理部は、前記未確定硬貨を前記希少な種類の硬貨であるとして処理することを特徴とする。
【００２０】
また、本発明は、上記発明において、前記処理設定は、前記未確定硬貨の搬送先を前記希少でない種類の硬貨の搬送先に指定する設定項目を含み、前記処理部は、前記未確定硬貨を前記希少でない種類の硬貨と同じ搬送先に搬送する処理を行うことを特徴とする。
【００２１】
また、本発明は、上記発明において、前記処理設定は、前記未確定硬貨の搬送先を前記希少でない種類の硬貨と異なる搬送先に指定する設定項目を含み、前記処理部は、前記未確定硬貨を前記希少でない種類の硬貨と異なる搬送先に搬送する処理を行うことを特徴とする。
【００２２】
また、本発明は、硬貨処理方法であって、硬貨の特性を検出する検出ステップと、前記検出ステップで検出された前記硬貨の特性に基づいて前記硬貨の種類を判別する判別ステップと、前記硬貨が前記判別ステップにより種類を判別できず複数の種類の候補が抽出された未確定硬貨である場合の処理方法を指定する処理設定を操作者から受け付ける受付ステップと、前記受付ステップが受け付けた前記処理設定に基づいて、前記未確定硬貨を処理する処理ステップと、を備えることを特徴とする。
【００２３】
また、本発明は、硬貨識別装置であって、硬貨の磁気特性を検出する磁気センサと、前記磁気センサで検出された前記硬貨の磁気特性に基づいて前記硬貨の種類の複数の候補を決定する磁気判別部と、前記硬貨の表面を撮像する画像センサと、前記画像センサで撮像された前記硬貨の画像に基づいて、前記磁気判別部で決定された前記複数の候補の中から前記硬貨の種類を判定する画像判定部と、を備えることを特徴とする。
【００２４】
また、本発明は、上記発明において、前記磁気判別部による前記複数の候補と、前記画像判定部による判定結果とに基づいて、前記硬貨の種類を判定する金種判定部を更に備えることを特徴とする。
【発明の効果】
【００２５】
本発明の硬貨処理装置及び硬貨処理方法によれば、種類の判別が困難な硬貨の処理方法をユーザーのニーズに合わせて簡便に変更することができる。
【図面の簡単な説明】
【００２６】
【図１】図１は、実施形態１に係る硬貨処理装置で用いられる判定処理に関する設定テーブルの例の一部を示す図である。
【図２】図２は、重複パス挙動設定について説明した図である。
【図３Ａ】図３Ａは、実施形態１に係る硬貨処理装置の外観を示す斜視模式図である。
【図３Ｂ】図３Ｂは、実施形態１に係る硬貨処理装置の構成を示す概略図である。
【図４】図４は、実施形態１に係る硬貨処理装置の内部構成を示すブロック図である。
【図５】図５は、実施形態１に係る硬貨処理装置が備える識別部の内部構成を示すブロック図である。
【図６】図６は、実施形態１に係る硬貨処理装置の磁気センサ及び画像センサを備えるセンサユニットの斜視模式図である。
【図７】図７は、実施形態１に係る硬貨処理装置の磁気センサ及び画像センサを備えるセンサユニットの平面模式図である。
【図８】図８は、種類情報テーブルの例の一部を示す図である。
【図９】図９は、判定処理に関する設定テーブルの他の例の一部を示す図である。
【図１０】図１０は、硬貨を判定処理する際のモードについて説明した図である。
【図１１】図１１は、搬送処理に関する設定テーブルの例の一部を示す図である。
【図１２】図１２は、硬貨を搬送処理する際のモードについて説明した図である。
【図１３】図１３は、実施形態１に係る硬貨処理装置の処理方法を示すフローチャートである。
【図１４】図１４は、実施形態１に係る硬貨処理装置が備える判定処理部の判定処理を示すフローチャートである。
【図１５】図１５は、実施形態１に係る硬貨処理装置が備える搬送処理部の搬送処理を示すフローチャートである。
【図１６】図１６は、操作者が処理設定の変更を行う際に表示部で表示される設定画面の一例である。
【図１７】図１７は、操作者が処理設定の変更を行う際に表示部で表示される設定画面の一例である。
【図１８】図１８は、重複パス挙動設定について説明した図である。
【図１９】図１９は、重複パス挙動設定について説明した図である。
【図２０】図２０は、種類情報テーブルの他の例の一部を示す図である。
【図２１】図２１は、判定処理に関する設定テーブルの更に他の例の一部を示す図である。
【図２２】図２２は、判定処理に関する設定テーブルの更に他の例の一部を示す図である。
【図２３】図２３は、実施形態２に係る硬貨識別装置の内部構成を示すブロック図である。
【発明を実施するための形態】
【００２７】
以下に、添付図面を参照して、本発明に係る硬貨処理装置及び硬貨処理方法の好適な実施形態を詳細に説明する。
【００２８】
（実施形態１）
まず、本実施形態に係る硬貨処理装置及び硬貨処理方法の概要について説明する。新貨の５円と旧貨の５円、新貨の１０円と旧貨１０円等、種類の識別が難しい硬貨に関しては、どちらの結果を優先的に採用して硬貨処理装置で当該硬貨を処理するかがユーザー（搭載機種）に応じて異なる。従来はユーザーに応じた特別なソフトウェアプログラムを用意していた。本実施形態では、硬貨処理装置が備える識別部によって、処理対象の硬貨の種類が特定できず、その種類の候補が複数存在する場合に、操作者により柔軟にカスタマイズ可能な処理設定に基づいて硬貨の処理を行うこととした。これにより、特別なソフトウェアプログラムを用意することなく、操作者から処理設定の変更を受け付けるだけで、種類の識別が難しい硬貨の処理を臨機応変にカスタマイズすることが可能となる。また、本実施形態では、硬貨の種類と、処理設定の具体的な内容、すなわち設定項目とを対応付ける設定テーブルを考案し、処理設定を容易にカスタマイズ可能とした。ここで、処理設定の設定項目は、特に限定されないが、種類が１種類に特定できない硬貨の種類をどのように判定するかを設定する設定項目（例えば、返答する識別結果の優先順位等）が好適であり、この場合、当該処理設定に基づいて、そのような硬貨の種類を判定する判定処理が行われる。また、処理設定の設定項目としては、種類が１種類に特定できない硬貨をどのように搬送するかを設定する設定項目（例えば、硬貨の搬送先等）も好適であり、この場合は、当該処理設定に基づいて、そのような硬貨を搬送する搬送処理が行われる。
【００２９】
図１は、実施形態１に係る硬貨処理装置で用いられる判定処理に関する設定テーブルの例の一部を示す図である。図２は、重複パス挙動設定について説明した図である。判定処理に関する設定テーブルは、種類ナンバー、硬貨の種類、重複パスグループ番号、重複パス挙動設定、磁気テンプレート参照ＩＤ及び画像テンプレート参照ＩＤの項目を有する。磁気テンプレート参照ＩＤ及び画像テンプレート参照ＩＤでは、それぞれ、硬貨の種類毎に、磁気センサで得られる磁気特性及び画像センサで得られる光学特性のテンプレートに対応するＩＤが与えられている。重複パスグループ番号は、変更可能な設定項目であり、処理対象の硬貨が識別部内の判別部により種類を判別できず複数の種類の候補が抽出された未確定硬貨である場合に参照する番号であり、抽出された複数の種類の候補の重複パスグループ番号が互いに異なる場合は当該硬貨を即座にリジェクト硬貨と判定し、抽出された複数の候補の重複パスグループ番号が同じである場合は後述する重複パス挙動設定に基づいて当該硬貨が判定される。ここで、処理対象の硬貨が識別部内の判別部により種類を判別できず複数の種類の候補が抽出されることを、重複パスが発生するともいう。重複パス挙動設定は、複数の選択肢から選択し、変更可能な設定項目であり、重複パスが発生した場合に処理対象の硬貨をどのように判定するのかが設定された項目である。種類ナンバーは、重複パスグループ番号、重複パス挙動設定、磁気テンプレート参照ＩＤ及び画像テンプレート参照ＩＤが設定された各硬貨の種類に対して付与される番号であり、図１では上段から下段に向かって数字が大きくなるように通し番号が振られている。
【００３０】
重複パスグループ番号設定では、図１の設定テーブルに示すように、各種類ナンバーの硬貨に対して重複パスグループ番号が付与される。具体的には、重複パスが発生した際に重複パス挙動設定に基づいて硬貨を判定するグループに同じ重複パスグループ番号が付与され、重複パスが発生した際に即座にリジェクト硬貨と判定するグループには互いに異なる重複パスグループ番号が付与される。例えば、図１では、磁気テンプレート参照ＩＤがそれぞれ２及び３である新貨及び旧貨の５円に対して同じ重複パスグループ番号３が付与されることで、硬貨処理装置内の判別部が硬貨の種類を判別できず新貨及び旧貨の５円が候補として抽出された場合に、識別部内において硬貨の判定処理を行う判定処理部は、当該硬貨を即座にリジェクト硬貨とは判定せず、当該硬貨をどのように判定するかの挙動が設定された後述の重複パス挙動設定に基づいて判定する。一方、図１では、磁気テンプレート参照ＩＤがそれぞれ６及び２である１００円と新貨の５円に対して異なる重複パスグループ番号が付与されることで、硬貨処理装置内の判別部が硬貨の種類を判別できず１００円及び新貨の５円が候補として抽出された場合、判定処理部は、当該硬貨を即座にリジェクト硬貨と判定する。
【００３１】
重複パス挙動設定では、各種類の硬貨に対して、同一の重複パスグループ番号のテンプレート間で重複パスが発生した際の硬貨の判定処理方法が設定される。
【００３２】
具体的には、図１及び図２に示す重複パス挙動設定Ａは、識別部内の判定処理部が、未確定硬貨をリジェクト硬貨と判定する処理を行う設定である。重複パス挙動設定Ｂは、判定処理部が、未確定硬貨を、複数の種類の候補のうち類似度が最も高い種類の硬貨であると判定する処理を行う設定である。重複パス挙動設定Ｃは、判定処理部が、未確定硬貨を、複数の種類の候補のうち優先度の最も高い種類の硬貨であると判定する処理を行う設定である。操作者は、複数の選択肢（例えば、重複パス挙動設定Ａ〜Ｃ）から選択して重複パス挙動設定を変更することができる。ここで、上記優先度は、図１に示す設定テーブルの種類ナンバーによって定まるものであり、種類ナンバーが小さいほど優先度が高い。
【００３３】
上記重複パス挙動設定Ｃでは、例えば、図２に示すように２通りの場合が想定され、硬貨の種類を判別できず新貨及び旧貨の５円の候補が抽出されたときに、新貨の５円を優先して新貨の５円と判定する場合と、旧貨の５円を優先して旧貨の５円と判定する場合とがある。
【００３４】
上記では、判定処理に関する設定テーブルについて説明したが、本実施形態では、搬送処理に関する設定テーブルも用いられる。搬送処理に関する設定テーブルは、処理対象の硬貨が識別部内の判別部により未確定硬貨であると判別された場合に未確定硬貨の搬送先を指定する設定項目を含む。そして、当該設定項目にて、例えば、未確定硬貨をリジェクト処理することが指定されるか、未確定硬貨を新貨の収納部へ収納することが指定されるか、又は、未確定硬貨を損貨収納部へ収納することが指定される。操作者は、複数の選択肢から選択して搬送先を指定する設定項目を変更することができる。
【００３５】
本実施形態の硬貨処理装置では、設定テーブルの情報に基づいて種類の判別が困難な硬貨を処理することができる。また、設定テーブルは、ユーザーのニーズに応じて操作者が書き換えることが可能である。すなわち、本実施形態の硬貨処理装置は、設定テーブルを用いて、種類の判別が困難な硬貨の処理方法をユーザーのニーズに合わせて簡便に変更することができる。
【００３６】
以下に、本実施形態の硬貨処理装置の外観及び内部構成を説明する。
【００３７】
図３Ａは、実施形態１に係る硬貨処理装置の外観を示す斜視模式図である。図３Ｂは、実施形態１に係る硬貨処理装置の構成を示す概略図である。図４は、実施形態１に係る硬貨処理装置の内部構成を示すブロック図である。
【００３８】
図３Ａ、３Ｂ及び４に示すように、硬貨処理装置１は、硬貨の入出金処理、包装硬貨の生成、包装硬貨の出金処理などを行うように構成されている。なお、包装硬貨は、所定枚数（例えば５０枚）の硬貨によって構成され、これらの所定枚数の硬貨は、包装紙で包装されている。
【００３９】
硬貨処理装置１は、筐体３を備えている。筐体３は、直方体型の箱状に形成されている。また、硬貨処理装置１は、硬貨投入部２０１と、識別部３００と、硬貨選別部２０３と、硬貨一時保留部２０４と、硬貨収納部２０５と、リジェクト部２０６と、返却箱２０７と、硬貨搬送部２０８と、出金識別部２０９と、出金箱２１０と、回収部２１１と、包装部２１２と、包装硬貨収納部２３０と、包装硬貨出金部２３１と、包装硬貨一括箱２３２と、包装硬貨投出部２３３と、包装硬貨搬送部２３４とを備えている。これらの構成部材は、筐体３に収納されている。また、硬貨処理装置１は、制御部１０と、操作表示部６００と、印字部１２と、記憶部７００と、通信部１４と、を備えている。制御部１０は、搬送処理部２００を備えている。記憶部７００には、処理設定として、搬送処理に関する設定テーブル３４２ｂが記憶されている。
【００４０】
硬貨投入部２０１は、硬貨が投入されるように構成されている。また、硬貨投入部２０１は、投入された硬貨を１枚ずつ繰り出すように構成されている。
【００４１】
識別部３００は、硬貨投入部２０１から繰り出された硬貨に対して識別処理（硬貨の種類、真偽、正損などの識別）を行うように構成されている。例えば、識別部３００は、磁気センサや画像センサなどの各種センサと、ＣＰＵなどの演算処理部と、演算処理部を動作させるためのプログラムや情報を記憶するメモリなどの記憶部とによって構成されている。なお、識別部３００による識別処理の結果は、後述する制御部１０に送信される。
【００４２】
硬貨選別部２０３は、識別部３００を通過した硬貨を選別して硬貨一時保留部２０４に放出するように構成されている。例えば、硬貨選別部２０３は、硬貨を搬送するための硬貨通路と、硬貨通路において硬貨を搬送する搬送ベルトと、硬貨通路に設けられて該当する硬貨を落とし込ませて分岐させるための分岐孔とによって構成されている。なお、硬貨選別部２０３において、識別部３００においてリジェクトすべき硬貨であると識別された硬貨（リジェクト硬貨）は、硬貨選別部２０３の下方に設けられた返却シュートＣ１を通じてリジェクト部２０６に導かれる。また、識別部３００において予め指定された硬貨に該当すると識別された硬貨は、硬貨選別部２０３の下方に設けられた任意硬貨シュートＣ２を通過し、その後、任意硬貨シュートＣ２の下方に設けられた袋取りシュートＣ３を通じて筐体３の前面に設けられた袋装着部に装着された袋２２０に導かれるか、又は任意硬貨シュートＣ２の下方に設けられたダイレクト包装用シュートＣ４を通じて包装部２１２に導かれる。
【００４３】
硬貨一時保留部２０４は、硬貨選別部２０３から放出された貨幣を金種別に収納して一時的に保留するように構成されている。また、硬貨一時保留部２０４は、一時的に保留している硬貨を硬貨収納部２０５または返却箱２０７に放出するように構成されている。
【００４４】
硬貨収納部２０５は、硬貨一時保留部２０４から放出された硬貨を種類別に収納するように構成されている。硬貨収納部２０５の具体例としては、１円収納部、５円収納部、１０円収納部等が挙げられる。また、硬貨収納部２０５は、収納している硬貨を硬貨搬送部２０８に種類別に１枚ずつ繰り出すように構成されている。
【００４５】
リジェクト部２０６は、返却シュートＣ１を通じて導かれた硬貨（すなわちリジェクト硬貨）を集積するように構成されている。
【００４６】
返却箱２０７は、硬貨一時保留部２０４から放出された硬貨（返却すべき硬貨）を収納するように構成されている。具体的には、返却箱２０７は、上方に開口する直方体型の箱状に形成されている。また、返却箱２０７は、硬貨処理装置１の筐体３に対して着脱可能に構成され、筐体３の前面から引き出し可能となっている。
【００４７】
硬貨搬送部２０８は、硬貨収納部２０５から繰り出された硬貨を出金箱２１０または包装部２１２へ搬送するように構成されている。この例では、硬貨搬送部２０８は、筐体３の奥行き方向（前後方向）に硬貨を搬送するコンベヤと、コンベヤ上の硬貨を包装部２１２に払い出す払出機構（図示を省略）とによって構成されている。硬貨搬送部２０８（具体的にはコンベヤ）の前端部に搬送された硬貨は、硬貨搬送部２０８の前端部の下方に設けられた出金シュートＣ５を通じて出金箱２１０に導かれる。また、払出機構は、硬貨搬送部２０８（具体的にはコンベヤ）の前後方向の中央部に設けられ、払出機構により払い出された硬貨は、硬貨搬送部２０８の前後方向の中央部の下方に設けられた包装用シュートＣ６を通じて包装部２１２に導かれる。
【００４８】
出金識別部２０９は、硬貨搬送部２０８から出金箱２１０へ向けて搬送される硬貨に対して識別処理と計数処理とを行うように構成されている。識別処理では、出金識別部２０９は、硬貨の種類、真偽、正損などを識別する。計数処理では、出金識別部２０９は、硬貨の枚数を種別毎に計数する。例えば、出金識別部２０９は、磁気センサや画像センサなどの各種センサと、ＣＰＵなどの演算処理部と、演算処理部を動作させるためのプログラムや情報を記憶するメモリなどの記憶部とによって構成されている。なお、出金識別部２０９による識別処理の結果は、後述する制御部１０に送信される。
【００４９】
出金箱２１０は、硬貨収納部２０５から繰り出されて硬貨搬送部２０８によって搬送されてきた硬貨（払い出すべき硬貨）を収納するように構成されている。また、出金箱２１０は、収納している硬貨を回収部２１１に放出するように構成されている。具体的には、出金箱２１０は、上方に開口する直方体型の箱状に形成され、その底板２１０ａが開閉可能に構成されている。そして、出金箱２１０の底板２１０ａの開放によって出金箱２１０から放出された硬貨は、出金箱２１０の下方に設けられた回収シュートＣ７を通じて回収部２１１に導かれる。また、出金箱２１０は、硬貨処理装置１の筐体３に対して着脱可能に構成され、筐体３の前面から引き出し可能となっている。
【００５０】
回収部２１１は、回収すべき貨幣を収納するように構成されている。具体的には、回収部２１１は、上方に開口する直方体型の箱状に形成され、出金箱２１０から放出されて回収シュートＣ７を経由して導かれた硬貨と、後述の排出シュートＣ８を通じて導かれた硬貨とを収納するように構成されている。また、回収部２１１は、硬貨処理装置１の筐体３に対して着脱可能に構成され、筐体３の前面から引き出し可能となっている。
【００５１】
包装部２１２は、包装硬貨を生成するように構成されている。具体的には、包装部２１２は、硬貨収納部２０５から繰り出されて硬貨搬送部２０８によって搬送されて包装用シュートＣ６を通じて導かれた硬貨（またはダイレクト包装用シュートＣ４を通じて導かれた硬貨）を用いて包装硬貨を生成し、その生成された包装硬貨を包装硬貨搬送部２３４に放出するように構成されている。この例では、包装部２１２には、包装硬貨搬送部２３４への包装硬貨の放出を許可する状態と禁止する状態とに切り換えられる包装切換部２１２ａが設けられている。なお、包装部２１２において包装硬貨の生成に用いられなかった硬貨は、包装部２１２の下方に設けられた排出シュートＣ８を通じて回収部２１１に導かれる。
【００５２】
包装硬貨収納部２３０は、包装硬貨を金種別に収納するように構成されている。また、包装硬貨収納部２３０は、包装硬貨搬送部２３４との間において包装硬貨の受け渡しを行うように構成されている。この例では、包装硬貨収納部２３０は、複数（具体的には６つ）の包装硬貨トレイ２３０ａを有している。複数の包装硬貨トレイ２３０ａは、それぞれ異なる金種の包装硬貨を収納している。また、包装硬貨収納部２３０は、硬貨処理装置１（具体的には筐体３）に対して着脱可能に構成されている。
【００５３】
包装硬貨出金部２３１は、包装硬貨搬送部２３４によって搬送されてきた包装硬貨（払い出すべき包装硬貨）を集積するように構成されている。また、包装硬貨出金部２３１には、硬貨処理装置１の筐体３の前面に開口する出金口が設けられ、その出金口にはシャッタ２３１ａが設けられている。そして、シャッタ２３１ａが開状態となることにより、操作者は、包装硬貨出金部２３１から包装硬貨を取り出すことができる。また、包装硬貨出金部２３１の近傍には、第１発光部Ｌ１が設けられている。第１発光部Ｌ１は、例えば、ＬＥＤによって構成されている。
【００５４】
包装硬貨一括箱２３２は、包装硬貨搬送部２３４によって搬送されてきた包装硬貨を集積するように構成されている。包装硬貨一括箱２３２の集積容量は、包装硬貨出金部２３１の集積容量よりも大きくなっている。例えば、包装硬貨出金部２３１の集積容量は、１６本程度の包装硬貨を集積することができるように設定され、包装硬貨一括箱２３２の集積容量は、４０本程度の包装硬貨を集積することができるように設定されている。また、包装硬貨一括箱２３２は、硬貨処理装置１（具体的には筐体３）に対して着脱可能に構成されている。また、包装硬貨一括箱２３２は、ロック状態（硬貨処理装置１から取り外すことができない状態）の保持と解除を切り換え可能に構成されている。また、包装硬貨一括箱２３２の近傍には、第２発光部Ｌ２が設けられている。第２発光部Ｌ２は、例えば、ＬＥＤによって構成されている。
【００５５】
包装硬貨投出部２３３は、包装硬貨搬送部２３４によって搬送されてきた包装硬貨を硬貨処理装置１の外部へ投出するように構成されている。包装硬貨投出部２３３から払い出された包装硬貨は、硬貨処理装置１の前方に配置された回収容器（図示を省略）に集積される。なお、回収容器としては、包装硬貨一括箱２３２の集積容量よりも大きい集積容量を有する容器を用いることができる。包装硬貨投出部２３３の近傍には、第３発光部Ｌ３が設けられている。第３発光部Ｌ３は、例えば、ＬＥＤによって構成されている。
【００５６】
包装硬貨搬送部２３４は、包装部２１２と包装硬貨収納部２３０と包装硬貨一括箱２３２と包装硬貨出金部２３１と包装硬貨投出部２３３とに接続されて包装硬貨を搬送するように構成されている。
【００５７】
搬送処理部２００は、後述する識別部３００内の判定処理部の判定結果と、記憶部７００に記憶された搬送処理に関する設定テーブル３４２ｂとに基づいて硬貨の搬送処理方法（搬送先）を決定し、硬貨選別部２０３及び硬貨一時保留部２０４を制御する機能を有する。
【００５８】
操作表示部６００は、操作部６００ａと表示部６００ｂとを有している。操作部６００ａは、操作者による操作が与えられ、その操作者による操作に応じて情報を入力するように構成されている。これにより、操作者は、操作部６００ａを操作して硬貨処理装置１に各種処理を行わせることができる。すなわち、硬貨処理装置１は、操作部６００ａに与えられた操作者による操作に応答して動作するように構成されている。また、表示部６００ｂは、硬貨処理装置１における硬貨の処理状況や操作入力の受付を行う操作画面などの各種情報を表示するように構成されている。例えば、操作表示部６００は、タッチパネルディスプレイによって構成されている。このように、操作表示部６００は、操作者による操作情報の入力の受付を行う受付部として機能する。
【００５９】
印字部１２は、硬貨処理装置１における硬貨の処理状況や硬貨の在高などの各種情報をレシートに印字し、その各種情報が印字されたレシートを発行するように構成されている。記憶部７００は、硬貨処理装置１における硬貨の処理状況に関する情報や、硬貨処理装置における硬貨の在高に関する情報や、操作表示部６００に表示される操作画面などの画像情報や、硬貨処理装置１の動作を制御するための制御情報などの各種情報を記憶するように構成されている。例えば、記憶部７００は、ハードディスクドライブやフラッシュメモリなどの汎用ストレージデバイスによって構成されている。通信部１４は、制御部１０がタブレット端末やスマートフォンなどの外部機器２０との間で有線通信や無線通信を行うために設けられている。
【００６０】
制御部１０は、硬貨処理装置１の各部と信号を伝送可能に構成されている。また、制御部１０は、通信部１４を経由して外部機器２０と通信可能となっている。
【００６１】
そして、制御部１０は、硬貨処理装置１において各種処理が行われるように、操作表示部６００（具体的には操作部６００ａ）に与えられた操作や、硬貨処理装置１の各部や外部機器２０から受信した信号や情報に基づいて、硬貨処理装置１の各部を制御して硬貨処理装置１の動作を制御するように構成されている。例えば、制御部１０は、ＣＰＵなどの演算処理部や、演算処理部を動作させるためのプログラムや情報を記憶するメモリなどの記憶部などによって構成されている。
【００６２】
このような硬貨処理装置１の識別部３００の詳細について以下に説明する。
【００６３】
図５は、実施形態１に係る硬貨処理装置が備える識別部の内部構成を示すブロック図である。識別部３００は、識別通信部３１０と、検出部３２０と、識別制御部３３０と、識別記憶部３４０と、判別部３５０と、判定処理部３６０と、を備える。
【００６４】
識別通信部３１０は、制御部１０との間で情報の入出力を行う機能を有する。
【００６５】
検出部３２０は、硬貨の特性を検出する機能を有する。検出部３２０には複数のセンサ３２１が設けられている。センサ３２１の具体例としては、硬貨の磁気特性を検出する磁気センサ、及び、硬貨の画像を撮像する画像センサが挙げられる。検出部３２０は、磁気センサ及び画像センサの一方を有していても、両者を有していてもよい。
【００６６】
図６は、実施形態１に係る硬貨処理装置の識別部が備えるセンサユニットの斜視模式図である。図７は、実施形態１に係る硬貨処理装置の識別部が備えるセンサユニットの平面模式図である。図６に示すように、センサユニット３２１Ｕは、硬貨１００が搬送される搬送路の上流側から下流側に向かって順に、磁気センサ３２１Ａ及び画像センサ３２１Ｂを備え、これら複数のセンサが一体化されたものである。図６中の矢印は、搬送路を通過する硬貨１００の搬送方向を示す。
【００６７】
識別部には硬貨１００を搬送する手段として、図６に示すように、搬送路に沿って搬送面の上方に張られた搬送ベルト２１ａと、搬送ベルト２１ａに対して一定間隔で固定された搬送ピン２１ｂとが設けられている。搬送ベルト２１ａは、モーター等を備える駆動装置によって駆動される。円柱状の搬送ピン２１ｂが硬貨１００の外縁部に接触し、搬送ベルト２１ａが移動することによって、硬貨１００は一枚ずつ間隔を空けて搬送路上を搬送される。なお、硬貨１００を搬送する手段の構成は、硬貨１００を搬送することができるものであれば図示した構成に限定されず、搬送ピン２１ｂを省略して搬送ベルト２１ａのみとしてもよい。
【００６８】
磁気センサ３２１Ａは、交流電源と、励磁コイルと、検出コイルとを備える。励磁コイルは、交流電源が出力した交流電圧が印加されて、搬送路に磁界を生成するようになっている。検出コイルは、励磁コイルが発生する磁界による誘導電圧に基づいて検知信号を出力するようになっている。そして、検出コイルは、硬貨１００が搬送路を搬送されることで変化した磁界により誘起された誘導電圧に基づいて、検知信号を出力する。
【００６９】
画像センサ３２１Ｂは、図７に示すように、撮像領域２２ａに対応して設けられた円形の平面形状を有する透明部の下方に、撮像領域２２ａを照明する光源と、撮像領域２２ａを撮像する撮像素子２４とを有する。硬貨１００が撮像領域２２ａ内に進入すると、光源が撮像領域２２ａ（上記透明部）に向けて光を発し、搬送される硬貨１００の表面（いずれか一方の面）で反射される光を撮像素子２４が受光し、結像させることで、硬貨１００の画像が採取される。
【００７０】
識別制御部３３０は、識別部３００が備える各部の制御を行う機能を有する。識別制御部３３０は、入出力制御部３３１、設定制御部３３２、センサ制御部３３３及びセンサデータ取得部３３４を有する。入出力制御部３３１は、識別通信部３１０が制御部１０との間で情報の入出力を行う際の制御を行う。設定制御部３３２は、入出力制御部３３１からの情報に基づいて識別記憶部３４０に記憶された設定テーブルの情報を変更する機能を有する。すなわち、設定制御部３３２は、操作表示部６００によって操作者から受け付けた設定テーブルの変更に関する情報を入出力制御部３３１から受け、受け取った情報に従って設定テーブルを変更する。センサ制御部３３３は、検出部３２０を制御する機能を有する。センサデータ取得部３３４は、検出部３２０で得られた硬貨の特性のデータを取得し、識別記憶部３４０に記憶されたテンプレートの基準データと比較することができるデータに変換した上で、当該変換されたデータを識別記憶部３４０にセンサデータ３４５として記憶させる機能を有する。
【００７１】
識別記憶部３４０は、種類情報テーブル３４１、判定処理に関する設定テーブル３４２ａ、判定結果３４３、候補抽出結果３４４及びセンサデータ３４５、磁気テンプレート３４６ａ及び画像テンプレート３４６ｂ等を記憶する機能を有する。
【００７２】
図８は、種類情報テーブルの例の一部を示す図である。図８の種類情報テーブル３４１は、硬貨の種類毎に磁気テンプレート参照ＩＤ及び画像テンプレート参照ＩＤが付与されたテーブルである。磁気テンプレート参照ＩＤは、硬貨の種類と当該種類に対応する磁気テンプレートとを対応させる番号であり、磁気テンプレートには磁気特性の基準データや閾値が含まれている。画像テンプレート参照ＩＤは、硬貨の種類と当該種類に対応する画像テンプレートとを対応させる番号であり、画像テンプレートには基準画像に関するデータや閾値が含まれている。なお、本明細書において、各種のテーブルにおけるＮの文字は、登録されている硬貨の種類の全数を示している。
【００７３】
図９は、判定処理に関する設定テーブルの他の例の一部を示す図である。図９に示した判定処理に関する設定テーブル３４２ａは、種類ナンバー、硬貨の種類、模様分類、重複パスグループ番号、重複パス挙動設定、磁気テンプレート参照ＩＤ及び画像テンプレート参照ＩＤの項目を有する。設定テーブル３４２ａは、図１に示した設定テーブルと同様に、種類ナンバー、硬貨の種類、重複パスグループ番号、重複パス挙動設定、磁気テンプレート参照ＩＤ及び画像テンプレート参照ＩＤの項目を有するとともに、硬貨の裏表のいずれかを示す模様分類の項目を有している。
【００７４】
設定テーブル３４２ａの重複パスグループ番号の設定項目では、判別部３５０により種類を判別できず、複数の種類の候補が抽出された場合に、即座にリジェクト硬貨と判定する種類同士には異なる重複パスグループ番号が付され、即座にリジェクト硬貨と判定せず、当該硬貨をどのように処理するかの挙動をカスタマイズする種類同士には同じ重複パスグループ番号が付されている。各種類の硬貨に対して付与する重複パスグループ番号は、操作表示部６００から操作者が設定可能である。
【００７５】
また、設定テーブル３４２ａの重複パス挙動設定の設定項目では、処理対象の硬貨が判別部３５０により種類を判別できず複数の種類の候補が抽出された未確定硬貨であり、かつ、上記複数の種類の候補に同一の重複パスグループ番号が付与されている場合の未確定硬貨の判定処理方法が指定されている。
【００７６】
図１０は、硬貨を判定処理する際のモードについて説明した図である。判定処理部３６０は、図１０に示す４つのモード、具体的には、未確定硬貨をリジェクト対象の硬貨として判定するモードＩ、未確定硬貨を複数の種類の候補のうち類似度が最も高い種類の硬貨であるとして判定するモードＩＩ、未確定硬貨を複数の種類の候補のうち優先度が最も高い種類の硬貨であるとして判定するモードＩＩＩ及びＩＶの４つのモードのいずれかのモードで判定処理を行う。モードＩＩＩは、新貨の優先度を高くした場合のモードであり、モードＩＶは、旧貨の優先度を高くした場合のモードである。
【００７７】
判定結果３４３は、判定処理部３６０による判定処理の結果であり、重複パスが発生したか否かの情報も含む。
【００７８】
候補抽出結果３４４は、判別部３５０が抽出する、１種類以上の硬貨の種類の候補の結果である。
【００７９】
判別部３５０は、検出部３２０で検出された硬貨の特性に基づいて硬貨の種類を判別する機能を有する。具体的には、判別部３５０は、検出部３２０の検出データと各テンプレートと比較し、類似度を算出する。そして、算出した類似度が閾値に対して許容範囲内であれば、そのテンプレートのＩＤを種類情報テーブル３４１で検索し、対応する種類を対象硬貨の種類の候補とし、候補抽出結果３４４として記憶部３４０に記憶させる。
【００８０】
候補抽出結果３４４が１種類である場合、判定処理部３６０は対象硬貨を当該種類の硬貨であると判定する。候補抽出結果３４４が複数種類である場合、判定処理部３６０は判定処理に関する設定テーブルに基づいて未確定硬貨を判定処理する。
【００８１】
金種が同一である新貨及び旧貨は、互いに異なる種類の硬貨であるとして判別することが困難な場合があり、また、金種が同一である新貨及び旧貨をどのように処理するかはユーザーのニーズによって様々である。本実施形態の硬貨処理装置は、種類の判別が困難な硬貨の処理方法をユーザーのニーズに合わせて簡便に変更することができるため、上記複数の種類の候補が、金種が同一である場合にも好ましく用いられる。
【００８２】
識別部３００では、判定処理に関する設定テーブル３４２ａを用いて判定処理部３６０によって硬貨の判定処理が行われるが、搬送処理部２００では、上述のように、判定処理部３６０の判定結果と、搬送処理に関する設定テーブル３４２ｂとに基づいて、硬貨の搬送処理が行われる。図１１は、搬送処理に関する設定テーブルの例の一部を示す図である。図１１に示した搬送処理に関する設定テーブル３４２ｂの搬送先設定の設定項目では、複数の選択肢から選択された硬貨の搬送先が設定される。図１１の例では、判別部３５０で得られた結果が新貨の５円である場合、当該硬貨を５円収納部へ収納し、判別部３５０で新貨及び旧貨の両方の５円が抽出された場合、当該硬貨を損貨収納部へ収納し、判別部３５０で得られた結果が旧貨の５円である場合、当該硬貨を損貨収納部へと収納する設定である。
【００８３】
図１２は、硬貨を搬送処理する際のモードについて説明した図である。図１２では、各硬貨について搬送先が設定されている。搬送処理部２００は、図１２に示す８つのモード（モードＩ〜ＶＩＩＩ）のいずれかのモードで搬送処理を行う。例えば、モードＩＩは、判定処理部３６０が、新貨及び旧貨の両方が抽出された未確定硬貨を新貨及び旧貨のうちの類似度が高い方の硬貨である判定した場合（重複パス挙動設定Ｂの場合）に、その硬貨を新貨収納部又は損貨収納部へと収納するモードである。この場合、その硬貨を新貨収納部へと収納するか、損貨収納部へと収納するかは、操作者が適宜設定可能である。なお、モードＩＩでは、重複パスが生じずに新貨であると判定された硬貨は新貨収納部へ、重複パスが生じずに旧貨であると判定された硬貨は損貨収納部へ、それぞれ収納される。
【００８４】
また、モードＩＩＩ〜Ｖは、判定処理に関する重複パス挙動設定がＣであり、かつ、旧貨より新貨の優先度を高く設定した場合の搬送処理のモードである。モードＶＩ〜ＶＩＩＩは、判定処理に関する重複パス挙動設定がＣであり、かつ、新貨より旧貨の優先度を高く設定した場合の搬送処理のモードである。搬送先の設定は、判定処理部での判定結果と一致していなくてもよい。例えば、重複パス挙動設定がＣであり、かつ、旧貨より新貨の優先度を高く設定した場合について、モードＩＶでは、判定部３５０で新貨及び旧貨の両方が抽出された場合に対象硬貨は硬貨収納部へ収納されるが、モードＶでは損貨収納部へ収納される。このように、未確定硬貨の搬送先は、判定処理部３６０での結果と一致していても一致していなくてもよい。
【００８５】
ここで、新貨と旧貨とは厚みが若干異なる場合があり、両者が混在していると硬貨包装を適切に行うことができないという課題があるが、図１２におけるモードＩＩ（ただし、新貨及び旧貨の両方が抽出された場合に損貨収納部へ収納する設定）、モードＶ及びモードＶＩＩＩは、判定部３５０で新貨と判断された場合にのみ処理対象の硬貨が新貨収納部へ収納され、旧貨は除外されるため、適切に硬貨包装を行うことができる。
【００８６】
図１２におけるモードＩＩＩ、ＩＶ、ＶＩ及びＶＩＩは、判定部３５０で新貨及び旧貨の両方が抽出された場合に新貨収納部へ収納する設定であるため、硬貨の受付率を高めることができる。
【００８７】
なお、損貨収納部としては、例えば、返却箱２０７を使用してもよく、その場合、搬送処理部２００は、判定処理部３７０の判定結果と、搬送処理に関する設定テーブル３４２ｂとに基づいて硬貨選別部２０３及び硬貨一時保留部２０４を制御し、硬貨選別部２０３及び硬貨一時保留部２０４が損貨収納部へ収納されるべき硬貨を返却箱２０７へ搬送する。
【００８８】
図１３は、実施形態１に係る硬貨処理装置の処理方法を示すフローチャートである。図１３に示すように、硬貨処理装置１は、受付ステップＳ１０、検出ステップＳ２０、判別ステップＳ３０、判定処理ステップＳ４０、及び搬送処理ステップＳ５０を順に実施し、硬貨の処理を行う。本実施形態に係る硬貨処理は、処理設定に基づく処理ステップとして、判定処理ステップＳ４０及び搬送処理ステップＳ５０を備えている。
【００８９】
受付ステップＳ１０は、処理対象である硬貨が、後述する判別ステップＳ３０により種類を判別できず複数の種類の候補が抽出された未確定硬貨である場合の処理方法を指定する処理設定の変更を操作者から受け付けるステップである。受付ステップＳ１０では、操作表示部６００を用いて、判定処理に関する設定テーブルの変更と搬送処理に関する設定テーブルの変更とを操作者から受け付ける。処理設定の内容に変更が無ければ、受付ステップＳ１０は省略することができる。
【００９０】
検出ステップＳ２０は、検出部３２０が処理対象である硬貨の特性を検出するステップである。
【００９１】
判別ステップＳ３０は、判別部３５０が検出ステップＳ２０で得られた硬貨の特性に基づいて硬貨の種類を判別するステップである。また、処理対象である硬貨が、判別ステップＳ３０により種類を判別できない場合、未確定硬貨と判定する。
【００９２】
判定処理ステップＳ４０は、判定ステップＳ３０での判定結果が未確定硬貨であった場合、設定テーブル３４２ａに基づいて、判定処理部３６０が未確定硬貨を判定処理するステップである。
【００９３】
図１４は、実施形態１に係る硬貨処理装置が備える判定処理部の判定処理を示すフローチャートである。判定処理部３６０は、図１４に示すフローチャートに基づいて判定処理を行う。
【００９４】
まず、判定処理部３６０は、ステップＳ１０１において、硬貨の種類の候補が１種類であるか否かを判定する。硬貨の種類の候補が１種類である場合、ステップＳ１０２へと進み、判定処理部３６０は、処理対象である硬貨を候補に挙がった種類の硬貨であると判定して処理し、判定処理を終了する。
【００９５】
硬貨の種類の候補が１種類ではない場合、ステップＳ１０３へと進み、判定処理部３６０は、判定処理に関する判定テーブル３４２ａに基づき、複数の種類の候補の重複パスグループ番号が同じであるか否かを判定する。複数の種類の候補の重複パスグループ番号が同じではない場合、ステップ１０４へと進み、判定処理部３６０は未確定硬貨をリジェクト硬貨であると判定し、判定処理を終了する。
【００９６】
複数の種類の候補の重複パスグループ番号が同じである場合、ステップＳ１０５へと進み、判定処理部３６０は、判定処理に関する判定テーブル３４２ａに基づき、重複パス挙動設定Ａ、Ｂ及びＣのいずれかによって判定し、判定処理を終了する。
【００９７】
搬送処理ステップＳ５０は、受付ステップＳ１０で受け付けた搬送処理に関する設定テーブル３４２ｂと判定処理ステップＳ４０の判定結果とに基づいて、搬送処理部２００が処理対象の硬貨を搬送処理するステップである。
【００９８】
図１５は、実施形態１に係る硬貨処理装置が備える搬送処理部の搬送処理を示すフローチャートである。
【００９９】
まず、搬送処理部２００は、ステップＳ２０１において、未確定硬貨の判定結果３４３がリジェクト硬貨であるか否かを判定する。リジェクト硬貨である場合、ステップＳ２０２へと進み、搬送処理部２００は未確定硬貨をリジェクトする処理を行い、搬送処理を終了する。
【０１００】
判定結果３４３がリジェクト硬貨でない場合、ステップＳ２０３へと進み、搬送処理部２００は、判定結果３４３及び搬送処理に関する設定テーブル３４２ｂに基づいて未確定硬貨の搬送処理を行う。
【０１０１】
図１６及び図１７は、操作者が処理設定を行う際に操作表示部で表示される画面の一例である。
【０１０２】
図１６は、硬貨の搬送モードを設定するオプションモード設定に関する図であり、重複パスが発生した場合の硬貨の搬送処理方法を金種ごとに設定することができる。新貨及び旧貨が流通している１０円及び５円については、旧貨を受け付ける設定、旧貨を回収する設定、及び新貨と旧貨を分離する設定を選択することができる。また、旧貨が流通していない１円や１００円については、オプション無しの設定が表示される。画面右側のスクロールボタンにより、設定画面を上下にスクロールすることができる。オプションが表示された各金種について硬貨の処理方法を設定し、画面右上の「Ｓａｖｅ」ボタンを押すことにより設定を保存することが可能であり、「Ｃａｎｃｅｌ」ボタンを押すことにより設定を取り消すことができる。
【０１０３】
図１７は、判定処理に関する設定テーブルを設定するオプションテーブル設定に関する図である。オプションテーブル設定では、重複パスグループ番号及び重複パス挙動設定を各種類について変更することができる。また、重複パスグループ番号及び重複パス挙動設定が入力された各種類の設定項目をひとまとまりにして、ドラッグアンドドロップにより順序を変えることで、例えば、設定テーブルの上段に優先度の高い種類を配置することができる。このように順序が変更された場合、種類ナンバーは、上段から下段に向かって順に大きくなるように自動的にナンバリングされる。
【０１０４】
以上のように、本実施形態の硬貨処理装置１は、操作表示部６００で操作者から受け付ける処理設定に基づいて未確定硬貨を処理することができるため、種類の判別が困難な硬貨の処理方法をユーザーのニーズに合わせて簡便に変更することができる。
【０１０５】
なお、本実施形態では、設定テーブルでは、上段から下段に向かって種類ナンバーに通し番号が付与されているため、設定テーブルでの記載位置が上段であるほど優先度が高くなっているが、種類ナンバーは通し番号で付与されていなくてもよい。この場合、各硬貨の種類の優先度は、設定テーブルでの記載位置では決定されず、種類ナンバーで決定されることとなる。
【０１０６】
また、本実施形態では、図２を用いて重複パス挙動設定Ａ〜Ｃについて説明したが、重複パス挙動設定では異なる挙動が設定されてもよい。図１８は、重複パス挙動設定について説明した図である。判定処理に関する設定テーブル３４２ａで設定される重複パス挙動設定としては、例えば、図１８に示すＤ〜Ｆを挙げることもできる。重複パス挙動設定Ｄは、判定処理部３６０が未確定硬貨を損貨と判定する処理を行う設定である。重複パス挙動設定Ｅは、判定処理部３６０が未確定硬貨を返却する硬貨であると判定する処理を行う設定である。重複パス挙動設定Ｆは、判定処理部３６０が未確定硬貨を特定の収納部へ収納する硬貨であると判定する処理を行う設定である。
【０１０７】
また、本実施形態では、処理対象の硬貨が、新旧２種類の候補が抽出された未確定硬貨である場合について説明したが、処理対象の硬貨が、３種類の候補が抽出された未確定硬貨であってもよく、この場合、重複パス挙動設定としては図１９に示す設定が挙げられる。図１９は、重複パス挙動設定について説明した図である。処理対象の硬貨が、３種類の５００円の記念硬貨（記念硬貨１、２、３とする）が抽出された未確定硬貨である場合、図１９に示す重複パス挙動設定Ｇは、判定処理部３６０が未確定硬貨を損貨と判定する処理を行う設定である。重複パス挙動設定Ｈは、判定処理部３６０が未確定硬貨を返却する硬貨であると判定する処理を行う設定である。重複パス挙動設定Ｉは、判定処理部３６０が未確定硬貨を特定の収納部へ収納する硬貨であると判定する処理を行う設定である。なお、図１９では、処理対象の硬貨が、２種類の候補が抽出された未確定硬貨である場合についても示しており、例えば、重複パス挙動設定Ｇでは、５００円の記念硬貨１及び２が候補として抽出された場合に、判定処理部３６０が未確定硬貨を５００円の記念硬貨１であると判定する処理を行うよう設定されている。
【０１０８】
本実施形態では、センサ３２１として磁気センサ及び画像センサを用いる場合について説明したが、センサとして磁気センサのみを用いてもよい。図２０は、種類情報テーブルの他の例の一部を示す図である。図２１及び２２は、判定処理に関する設定テーブルの更に他の例の一部を示す図である。センサ３２１として磁気センサのみを用いる場合の種類情報テーブルとしては例えば図２０が挙げられ、判定処理に関する設定テーブルとしては例えば図２１及び２２が挙げられる。
【０１０９】
（実施形態２）
本実施形態では、本実施形態に特有の特徴について主に説明し、実施形態１と重複する内容についての詳細な説明は省略する。また、本実施形態と実施形態１とにおいて、同一又は同様の機能を有する部材には同一の符号を付し、本実施形態において、その部材の詳細な説明は省略する。
【０１１０】
図２３は、実施形態２に係る硬貨識別装置の内部構成を示すブロック図である。図２３に示すように、実施形態２の硬貨識別装置２は、硬貨の磁気特性を検出する磁気センサ３２１Ａと、磁気センサ３２１Ａで検出された硬貨の磁気特性に基づいて硬貨の種類の複数の候補を決定する磁気判別部８２０と、硬貨の表面を撮像する画像センサ３２１Ｂと、画像センサ３２１Ｂで撮像された硬貨の画像に基づいて、磁気判別部８２０で決定された複数の候補の中から硬貨の種類を判定する画像判定部８４０と、を備える。このような態様とすることにより、磁気センサ３２１Ａの出力から硬貨の種類を複数の候補に絞り込み、画像センサ３２１Ｂでその絞り込んだ複数の候補から１種類に絞り込むことが可能となる。
【０１１１】
硬貨の改鋳が想定される場合に、どのような磁気特性の硬貨に改鋳されるか解らないが、改鋳された場合に対応できる硬貨識別装置が要望されている。ここで、従来の硬貨識別装置は、磁気センサを用いて、処理対象の硬貨を１種類の硬貨であると判定する処理を行い、その後、磁気センサで得られた判定結果（すなわち１種類の硬貨）のみを対象として画像センサを用いて硬貨の種類を判定していた。そのため、例えば、改鋳で磁気センサによる硬貨の種類を判定できなくなること等が考えられる。この場合、誤鑑を防ぐために当該硬貨をリジェクトすることしかできず、硬貨識別装置としての受付率を満たせなくなる可能性がある。
【０１１２】
本実施形態の硬貨識別装置２は、磁気判別部８２０で決定された複数の候補の中から硬貨の種類を判定する画像判定部８４０を備えるため、磁気センサ３２１Ａで硬貨の種類を判定することができない場合でも、硬貨の模様は必ず異なるため画像判定部８４０により種類を判定することができる。その結果、誤鑑を防ぐためにリジェクトする必要がないため、受付率が向上する。また、処理時間やメモリ等が許容されれば、地方自治体記念硬貨等の、同じ磁気特性を示し、かつ、模様の異なる硬貨についても、画像センサ３２１Ｂを用いた真偽判定を行うことができる。
【０１１３】
図２３に示すように、本実施形態の硬貨識別装置２は、磁気判別部８２０による複数の候補と、画像判定部８４０による判定結果とに基づいて、硬貨の種類を判定する金種判定部８５０を更に備える。磁気判別部８２０は、磁気センサ３２１Ａで得られた磁気データと磁気テンプレート３４６ａとを比較し、複数の候補（図２３では２種類）を抽出する。画像判定部８４０は、磁気判別部８２０で抽出された複数の候補に対応する画像テンプレート３４６ｂと画像センサ３２１Ｂで得られた画像データとを比較し、磁気判別部８２０で得られた複数の候補の中から、硬貨の種類を判定する。金種判定部８５０は、磁気判別部８２０による複数の候補と、画像判定部８４０による判定結果とを総合して、硬貨の種類を最終的に決定する。
【０１１４】
以上、図面を参照しながら本発明の好適な実施形態を説明したが、本発明は、上記実施形態に限定されるものではない。また、上記実施形態の構成は、本発明の要旨を逸脱しない範囲において適宜組み合わされてもよいし、変更されてもよい。
【産業上の利用可能性】
【０１１５】
以上のように、本発明は、ユーザーのニーズに合わせて硬貨処理装置における硬貨の処理方法を簡便に変更するのに有用な技術である。
【符号の説明】
【０１１６】
１：硬貨処理装置
２：硬貨識別装置
３：筐体
１０：制御部
１２：印字部
１４：通信部
２０：外部機器
２１ａ：搬送ベルト
２１ｂ：搬送ピン
２２ａ：撮像領域
２４：撮像素子
１００：硬貨
１０１：前面部
２００：搬送処理部
２０１：硬貨投入部
２０３：硬貨選別部
２０４：硬貨一時保留部
２０５：硬貨収納部
２０６：リジェクト部
２０７：返却箱
２０８：硬貨搬送部
２０９：出金識別部
２１０：出金箱
２１１：回収部
２１２：包装部
２１２ａ：包装切換部
２２０：袋
２３０：包装硬貨収納部
２３０ａ：包装硬貨トレイ
２３１：包装硬貨出金部
２３１ａ：シャッタ
２３２：包装硬貨一括箱
２３３：包装硬貨投出部
２３４：包装硬貨搬送部
３００：識別部
３１０：識別通信部
３２０：検出部
３２１：センサ
３２１Ａ：磁気センサ
３２１Ｂ：画像センサ
３２１Ｕ：センサユニット
３３０：識別制御部
３３１：入出力制御部
３３２：設定制御部
３３３：センサ制御部
３３４：センサデータ取得部
３４０：識別記憶部
３４１：種類情報テーブル
３４２ａ、３４２ｂ：設定テーブル
３４３：判定結果
３４４：候補抽出結果
３４５：センサデータ
３４６ａ：磁気テンプレート
３４６ｂ：画像テンプレート
３５０：判別処理部
６００：操作表示部
６００ａ：操作部
６００ｂ：表示部
７００：記憶部
８２０：磁気判別部
８４０：画像判定部
８５０：金種判定部
【図１】
2020144549.tif 000003
【図２】
2020144549.tif 000004
【図３Ａ】
2020144549.tif 000005
【図３Ｂ】
2020144549.tif 000006
【図４】
2020144549.tif 000007
【図５】
2020144549.tif 000008
【図６】
2020144549.tif 000009
【図７】
2020144549.tif 000010
【図８】
2020144549.tif 000011
【図９】
2020144549.tif 000012
【図１０】
2020144549.tif 000013
【図１１】
2020144549.tif 000014
【図１２】
2020144549.tif 000015
【図１３】
2020144549.tif 000016
【図１４】
2020144549.tif 000017
【図１５】
2020144549.tif 000018
【図１６】
2020144549.tif 000019
【図１７】
2020144549.tif 000020
【図１８】
2020144549.tif 000021
【図１９】
2020144549.tif 000022
【図２０】
2020144549.tif 000023
【図２１】
2020144549.tif 000024
【図２２】
2020144549.tif 000025
【図２３】
2020144549.tif 000026